(57)【要約】【課題】  錠が不正に解錠されるのを防止できる建具の提供。【解決手段】  戸枠１と、戸２と、戸２内に設けた引戸１４と、戸２の室外側に設けた機能枠３と、錠１５とを備え、引戸１４を開けたときに戸の縦框１６と引戸の戸先框１８との間に換気用開口部２５が形成されるものであり、錠１５は、引戸戸尻側の戸の縦框１７と戸枠２の縦枠２８ａとの間に設けてあり、引戸１４の戸尻框１９と機能枠３との間に、引戸閉鎖時に係合する係合部２０を有する。【選択図】      図１
2018105104.tif 000002
【特許請求の範囲】
【請求項１】
戸枠と、戸と、戸内に設けた引戸と、戸の室外側に設けた機能枠と、錠とを備え、引戸を開けたときに戸の縦框と引戸の戸先框との間に換気用開口部が形成されるものであり、錠は、引戸戸尻側の戸の縦框と戸枠の縦枠との間に設けてあり、引戸の戸尻框と機能枠との間に、引戸閉鎖時に係合する係合部を有することを特徴とする建具。
【発明の詳細な説明】
【技術分野】
【０００１】
本発明は、採風・換気が行える建具に関する。
【背景技術】
【０００２】
従来より、採風・換気が行えるドアとして、上げ下げ障子を組み込んだものがあった（例えば、特許文献１参照。）。かかる従来のドアは、上げ下げ障子を開けるとドアの上部と下部の縦框間が開放し、不審者がその開口部から手を差し入れてサムターンを操作し、不正に解錠されるおそれがあり、防犯性に問題があった。
【先行技術文献】
【特許文献】
【０００３】
【特許文献１】特許第３４５３６５１号公報公報
【発明の概要】
【発明が解決しようとする課題】
【０００４】
本発明は以上に述べた実情に鑑み、錠が不正に解錠されるのを防止できる建具の提供を目的とする。
【課題を解決するための手段】
【０００５】
上記の課題を達成するために請求項１記載の発明による建具は、戸枠と、戸と、戸内に設けた引戸と、戸の室外側に設けた機能枠と、錠とを備え、引戸を開けたときに戸の縦框と引戸の戸先框との間に換気用開口部が形成されるものであり、錠は、引戸戸尻側の戸の縦框と戸枠の縦枠との間に設けてあり、引戸の戸尻框と機能枠との間に、引戸閉鎖時に係合する係合部を有することを特徴とする。
【発明の効果】
【０００６】
請求項１記載の発明による建具は、引戸を開けたときに戸の縦框と引戸の戸先框との間に換気用開口部が形成されるものであり、錠が引戸戸尻側の戸の縦框と戸枠の縦枠との間に設けてあり、尚且つ引戸の戸尻框と機能枠との間に引戸閉鎖時に係合する係合部を有することで、室外側から針金等を差し込まれて錠が不正に解錠されるのを防止できる。
【図面の簡単な説明】
【０００７】
【図１】本発明の建具の第１実施形態を示す横断面図であって、引戸を閉めた状態を示す。
【図２】同建具の横断面図であって、引戸を開けた状態を示す。
【図３】同建具の縦断面図である。
【図４】同建具の室外側正面図であって、（ａ）は引戸を閉めた状態、（ｂ）は引戸を開けた状態を示す。
【図５】同建具の横断面図であって、扉本体から機能枠を分離した状態を示す。
【図６】同建具の縦断面図であって、扉本体から機能枠を分離した状態を示す。
【図７−１】機能枠の取付手順を示す室外側正面図である。
【図７−２】機能枠の取付手順（図７−１の続き）を示す室外側正面図である。
【図８】機能枠の取付け方を示す横断面図である。
【図９】機能枠の取付け方を示す斜視図である。
【図１０】（ａ）は戸車の側面図、（ｂ）は同平面図、（ｃ）は同正面図である。
【図１１】機能枠の被係合部が戸の係合部に係合する部分を拡大して示す室外側正面図である。
【図１２】本発明の建具の第２実施形態を示す横断面図であって、引戸を閉めた状態を示す。
【図１３】同建具の横断面図であって、扉本体から機能枠を分離した状態を示す。
【図１４】本発明の建具の第３実施形態を示す横断面図であって、引戸を閉めた状態を示す。
【発明を実施するための形態】
【０００８】
以下、本発明の実施の形態を図面に基づいて説明する。図１〜６は、本発明に係る建具の第１実施形態を示している。本建具は、勝手口ドアに適用したものであって、図１に示すように、躯体開口部に取付けられる戸枠１と、戸枠１に蝶番２４で室外側に開くように取付けた戸２を備えている。戸２は、図１，３に示すように、戸本体（引戸枠）２１と、戸本体２１内に組み込んだ引戸１４を備えている。戸２の室外側には、機能枠３が取付けてある。機能枠３は、網戸付格子となっている。本建具は、引戸１４が戸本体２１内で左右方向にスライド自在に支持してあり、図２に示すように、引戸１４を戸２の戸先側にスライドすることで、戸２の吊元框１６と引戸１４の戸先框１８との間に換気用開口部２５が形成され、戸２を閉めたままで採風・換気が行えるものである。
【０００９】
戸枠１は、図１，３に示すように、アルミニウム合金の押出形材よりなる上枠２６と下枠２７と左右の縦枠２８ａ，２８ｂとを枠組みして構成してある。戸枠１は、室内側の見えがかりの部分を樹脂形材２９で覆うことで断熱性を持たせてある。
【００１０】
戸本体２１は、図１，３に示すように、上框３０と下框３１と吊元框１６と戸先框１７とを框組みして構成されている。各框３０，３１，１６，１７は、室外側に配置された金属形材３０ａ，３１ａ，１６ａ，１７ａと室内側に配置された樹脂形材３０ｂ，３１ｂ，１６ｂ，１７ｂとを結合して構成してある。
上框３０の金属形材３０ａは、図３に示すように、室外側が開放しており、室内側壁の下端を室外向きに突出させ、その先端に引戸１４の吊り戸車７が係合するレール３２が設けてある。上框３０の室外側には、引戸１４を戸本体２１内に組み込んだ後に、機能枠３の一部である上框補助材３３が取付けられる。上框補助材３３の下縁は、樹脂形材３０ｂの下縁と同じ高さになっている。下框３１の金属形材３１ａも、室外側が開放しており、上面に引戸１４の下端部に設けた溝３４に係合するガイドローラー３５が取付けてある。下框３１の室外側には、引戸１４を戸本体２１内に組み込んだ後に、機能枠３の一部である下框補助材３６が取付けられる。下框補助材３６の上縁は、樹脂形材３１ｂの上縁と同じ高さになっている。
戸先框１７には、図１，４に示すように、上下二つの錠１５，１５と、戸２の開閉操作を行うためのハンドル３７を備えている。吊元框１６には、室内側に引戸１４用の施錠装置３８が設けてある。
【００１１】
引戸１４は、図１，３に示すように、上框３９と下框４０と戸先框１８と戸尻框１９とを框組みし、その内側にガラスパネル４１を嵌め込んで構成してある。各框３９，４０，１８，１９は、室外側に配置された金属形材３９ａ，４０ａ，１８ａ，１９ａと室内側に配置された樹脂形材３９ｂ，４０ｂ，１８ｂ，１９ｂとを結合して構成してある。ガラスパネル４１は、断熱性の優れた複層ガラスを用いている。図３に示すように、上框３９の金属形材３９ａには吊り戸車７が取付けてあり、下框４０の金属形材４０ａには下向きに開口した溝３４が形成してあり、吊り戸車７を戸本体２１の上框３０の上レール３２に係合し、下框４０の溝３４を戸本体２１の下框３１のガイドローラー３５に係合することで、引戸１４が戸本体２１の戸先框１７と吊元框１６の内周側端縁間で左右方向にスライド自在に支持してある。
図３に示すように、引戸１４の上框３９の下縁は、戸本体２１の上框３０及び上框補助材３３の下縁と同じ高さになっており、引戸１４の下框４０の上縁は、戸本体２１の下框３１及び下框補助材３６の上縁と同じ高さになっている。したがって、引戸１４の上框３９と下框４０は、室外側及び室内側から見て、戸本体２１の上框３０と下框３１に完全に隠れている。
【００１２】
戸本体２１は、図１，２に示すように、戸先框１７の吊元側に隣接して、引戸１４の一部を引き込むための戸袋部４２が設けてある。戸袋部４２は、室外側に配置された金属形材４３及び機能枠３の縦枠４４と、室内側に配置された樹脂形材４５で構成されている。樹脂形材４５は、戸本体２１の戸先框１７の室内側面よりも室内側に突出している。
【００１３】
図１に示すように、引戸１４の戸尻框１９の内周側縁は、戸袋部４２の内周側縁と同じ位置になっており、したがって戸尻框１９は室外側及び室内側から見て戸袋部４２に完全に隠れている。一方、引戸１４の戸先框１８は、室外側及び室内側から見てほぼ全体が露出している。引戸１４の開閉操作は、戸先框１８の室内側面に設けた引手４６に手を掛けて行う。
引戸１４の戸先框１８が戸本体２１の吊元框１６に隠れていたとすると、引戸１４を閉鎖した状態から戸先框１８の見付寸法分だけスライドしてからでないと換気用開口部２５が形成されず、引戸１４の全スライド量に対して戸先框１８の見付寸法分だけ換気用開口部２５の幅が狭くなってしまう。例えば、引戸１４の全スライド量が１００ｍｍで戸先框１８の見付寸法が５０ｍｍであったとすると、換気用開口部２５の幅は５０ｍｍにしかならない。本建具は、引戸１４の戸先框１８が室外側及び室内側から見てほぼ全体が露出していることで、引戸１４を閉鎖した状態からスライドさせるとすぐに換気用開口部２５が形成され、引戸１４の全スライド量のほぼ全部を換気用開口部２５とすることができる。これにより、引戸１４の全スライド量が小さい場合でも換気用開口部２５を可能な限り広くすることができ、換気の効率が良い。戸先框１８以外の三方の框（上框３９、下框４０、戸尻框１９）は、戸本体２１の框３０，３１や戸袋部４２で隠れているため、断熱性、意匠性が良い。
【００１４】
本建具は、図１に示すように、引戸１４の見付寸法Ａが戸袋部４２の見付寸法Ｂよりも大きくなっており、そのため図２と図４（ｂ）に示すように、引戸１４を戸袋部４２に引き込んだときに、引戸１４のガラスパネル４１の大部分が戸袋部４２から露出する。より詳細には、戸袋部４２の見付寸法Ｂは引戸１４の見付寸法Ａの半分以下としてあり、引戸１４を戸袋部４２に引き込んだときに、戸袋部４２に引き込まれる寸法よりも戸袋部４２からはみ出す寸法の方が大きくなっている。そして、引戸１４を戸袋部４２に引き込むと、図４（ｂ）に示すように、戸２の吊元側に戸本体２１の上框３０と下框３１の間の全高さにわたる縦長の換気用開口部２５が形成され、当該換気用開口部２５を通じて採風・換気が行える。本建具は、そのように引戸１４を開けたときに、戸袋部４２からはみ出す引戸１４の見付寸法Ｃが換気用開口部２５の幅Ｄよりも大きくなっている。
換気用開口部２５の幅Ｄは、換気が十分可能な寸法であって、人間が頭を入れたり腕を深く差し入れたりするのが困難な寸法に設定してある。「住宅の品質確保の促進等に関する法律」に基づく住宅の性能に関する評価の方法の基準を定めた平成１３年国土交通省告示第１３４７号において、転落防止のための手すりの手すり子の間隔を内法寸法で１１０ｍｍ以下とすることが定められており、本建具の換気用開口部２５の幅Ｄは、これにならって１１０ｍｍ以下としている。換気用開口部２５の幅Ｄを１１０ｍｍ以下とすることで、万が一にも換気用開口部２５から侵入されることはなく、また事前に不正侵入を思い留まらせる効果がある。具体的には、本建具の換気用開口部２５の幅Ｄは１００ｍｍとしてあり、上記基準よりもさらに厳しくしてある。
【００１５】
引戸１４の見付寸法Ａは、戸先框１７と吊元框１６の内周側端縁間の寸法から必要な換気用開口部２５の幅Ｄを減じた寸法となっており、戸袋部４２の見付寸法Ｂは、引戸戸尻框１９の見付寸法と必要な換気用開口部２５の幅Ｄを合計した寸法となっている。これにより、引戸戸尻框１９を隠し框としながら、必要な換気用開口部２５の幅Ｄを容易に設定でき、設計自由度を向上できる。また、戸袋部４２の見付寸法Ｂを最小のものにすることができ、意匠性を向上できると共に戸袋部４２の材料費を削減でき、さらに戸袋部４２の内周側端縁のふらつきを防止できる。また、換気用開口部２５の幅Ｄを増減した商品を設定する場合には、戸袋部４２を見付けの異なるものに変更すると共に、引戸１４の幅を増減するだけでよく、換気用開口部２５の幅Ｄの異なるバリエーションの拡充を容易に行うことができる。
【００１６】
このように本建具は、框組みした戸本体２１内に引戸１４を左右方向にスライド可能に組み込み、一方の縦框（戸先框１７）に隣接して戸袋部４２を設けてあり、引戸１４の見付寸法Ａが戸袋部４２の見付寸法Ｂより大きく、引戸１４を戸袋部４２に引き込んだときにガラスパネル４１が戸袋部４２から露出するため、換気時の開口部の幅Ｄを狭くして、不審者の侵入や不正解錠を防ぐことができる。換気用開口部２５は、戸２の戸先側に形成されるようにしてもよいが、本実施形態のように戸２の吊元側に換気用開口部２５が形成されるようにすることで、換気用開口部２５から戸先框１７のサムターン４７へのアクセスが困難になるため、防犯性が高くなる。
さらに本建具は、戸袋部４２を構成する室内側の樹脂形材４５が戸先框１７の室内側面よりも室内側に突出していることで、樹脂形材４５が障壁となって室外からサムターン４７の位置を視認することができず、また、換気用開口部２５から針金などを差し入れてサムターン４７を操作することも困難であり、防犯性がより一層向上する。
換気用開口部２５は、戸２の上框３０から下框３１までの間全体が開口するため、幅が狭くても十分な換気が行え、重力換気も効率よく行える。本建具は、戸袋部４２の見付寸法Ｂを引戸１４の見付寸法Ａと比べて小さくしたことで、戸全体に占める断熱性に優れたガラスパネル４１の面積の割合を大きくでき、上げ下げ窓のような召合せ部も無いため、断熱性能を向上することができ、また、採光性にも優れる。さらに、引戸１４が一部しか開かないことで、小雨程度なら引戸１４を開けたままでも雨が入りにくく、採光・断熱・止水の３つをバランス良く向上させられ、建具としての性能が総合的に優れている。
【００１７】
戸本体２１の室外側に設けた機能枠３は、図１，３に示すように、上枠７７と下枠７８と左右の縦枠４４，４８を枠組みした枠に網４９を張設すると共に、複数の横桟５０，５０，…を取付けて構成してある。機能枠３の上下寸法は、図３に示すように、戸本体２１の上下寸法とほぼ同じになっている。
機能枠３は、図１に示すように、戸先側の縦枠４４の外周側面に一対の突条よりなる被係合部５が長手方向に沿って設けてある。戸２は、戸先框１７の吊元側に隣接して設けた金属形材４３に、吊元側が開口した溝状の係合部４を長手方向に沿って有しており、機能枠３の被係合部５が前記溝状の係合部４に係合して見込方向に位置決めされている。また、機能枠３の被係合部５には、図７−２（ｃ）に示すように、上部と下部の２箇所に切欠き５１が設けてあり、戸２の溝状の係合部４内には、図１に示すように、前記切欠き５１に対応した高さ位置にブロック状の落ち止め部材５２が取付けてある。そして、機能枠３の被係合部５を戸２の係合部４に吊元側から係合すると、図１１に示すように、切欠き５１に落ち止め部材５２が係合して、被係合部５が係合部４内で上下方向に位置決めされる。金属形材４３の上下端部には、図１１に示すように、端部キャップ７９が取付けてあり、端部キャップ７９が溝状の係合部４の上下の小口を塞いでいるので、切欠き５１と落ち止め部材５２が無かったとしても、端部キャップ７９により被係合部５が係合部４内で上下方向に位置決めされる。
また、図１に示すように、戸２の吊元側の機能枠３の縦枠４８にも、外周側面に戸先側に向けて鉤状に曲がった形状の被係合部５３が設けてあり、この被係合部５３が戸２の吊元框１６に設けた係合部５４に吊元側から係合している。
【００１８】
機能枠３は、図１，４に示すように、戸２の吊元側端部の上下二箇所に固定具６を有している。固定具６は、見付片５５と見込片５６とからなる平面視Ｌ形の金具であり、図８（ｂ）と図９（ａ）に示すように、見付片５５を機能枠３の縦枠４８の外周側面に設けた孔５７に吊元側から差し込み、見込片５６は戸２の吊元側の見込面５８に当接し、吊元側から螺入したねじ５９で固定してある。このように固定具６を取付けることで、機能枠３の面内方向の移動が規制され、機能枠３が戸２に固定される。
【００１９】
本建具は、図１に示すように、戸本体２１の吊元框１６の室内側に、引戸１４の戸先框１８の室内側面に当接するタイト材６０ａが設けてあり、室内側の戸袋部４２を構成する樹脂形材４５には、引戸１４の戸尻框１９の室内側面に当接するタイト材６０ｂが設けてある。また、図３に示すように、戸本体２１の上框３０の室内側には、引戸１４の上框３９の室内側面に当接するタイト材６０ｃが設けてあり、戸本体２１の下框３１の室内側には、引戸１４の下框４０の室内側面に当接するタイト材６０ｄが設けてある。本建具はこれらのタイト材６０ａ，６０ｂ，６０ｃ，６０ｄにより、戸本体２１と引戸１４との間に四周連続した室内タイトライン２２ａ，２２ｂ，２２ｃ，２２ｄが設けてある。
【００２０】
さらに本建具は、図１に示すように、戸本体２１の吊元框１６の室外側に、引戸１４の戸先框１８の室外側面に当接するタイト材６１ａが設けてある。戸先側の機能枠３の縦枠４４には、引戸１４の戸尻框１９の室外側面に当接するタイト材６１ｂが設けてある。また、図３に示すように、機能枠３の上框補助材３３には、引戸１４の上框３９の室外側面に当接するタイト材６１ｃが設けてあり、機能枠３の下框補助材３６には、引戸１４の下框４０の室外側面に当接するタイト材６１ｄが設けてある。戸本体２１の吊元框１６に設けたタイト材６１ａは、上端が上框補助材３３に設けたタイト材６１ｃに当接し、下端が下框補助材３６に設けたタイト材６１ｄに当接している。戸先側の機能枠３の縦枠４４に設けたタイト材６１ｂは、上端が上框補助材３３に設けたタイト材６１ｃに当接し、下端が下框補助材３６に設けたタイト材６１ｄに当接している。本建具はこれらのタイト材６１ａ，６１ｂ，６１ｃ，６１ｄにより、戸本体２１及び機能枠３と引戸１４との間に四周連続した室外タイトライン２３ａ，２３ｂ，２３ｃ，２３ｄが設けてある。
また本建具は、図１に示すように、引戸１４の戸先框１８と機能枠３の戸先側の縦枠４４とに引き寄せ部材６２ａ，６２ｂが設けてあり、これにより引戸１４を閉めたときに、室内タイトライン２２ａ，２２ｂ，２２ｃ，２２ｄを維持したまま、引戸１４が室外側に引き寄せられて室外タイトライン２３ａ，２３ｂ，２３ｃ，２３ｄに圧着するようにしている。
【００２１】
また本建具は、図１に示すように、引戸１４の戸尻框１９の室外側面に鉤状の係合片６３ａが長手方向に沿って設けてあり、機能枠３の戸先側の縦枠４４の室内側面には鉤状の係合片６３ｂが長手方向に沿って設けてあり、これらの係合片６３ａ，６３ｂにより、引戸１４の戸尻框１９と機能枠３との間に、引戸１４閉鎖時に係合する係合部２０が構成されている。
さらに、引戸１４の戸尻框１９の室内側面にも鉤状の係合片６４ａが長手方向に沿って設けてあり、室内側の戸袋部４２を構成する樹脂形材４５には鉤状の係合片６４ｂが長手方向に沿って設けてあり、これらの係合片６４ａ，６４ｂにより、引戸１４の戸尻框１９と戸袋部４２との間に、引戸１４閉鎖時に係合する係合部６５が構成されている。
また、戸本体２１の戸先框１７の外周側見込面には鉤状の係合片６６ａが長手方向に沿って設けてあり、戸枠１の戸先側の縦枠２８ａの内周側面には鉤状の係合片６６ｂが長手方向に沿って設けてあり、これらの係合片６６ａ，６６ｂにより、戸枠１と戸２との間に、戸２閉鎖時に係合する係合部６７が構成されている。
【００２２】
引戸１４の吊り戸車７は、図１０に示すように、引戸上框３９にねじで固定される外ハウジング８と、車輪９を軸６８で回転自在に保持した内ハウジング１０と、調整ねじ１１と、調整ねじ１１に螺合する調整具１２と、車輪９がレール３２から外れるのを防ぐ外れ止め６９を備えている。内ハウジング１０は、保持具７０により外ハウジング８に上下動可能に取付けてあり、上部の左右両側に室内側に向けて下向きに傾斜した傾斜面１３ａを有している。調整ねじ１１は、軸方向を見込方向と平行な向きで外ハウジング８の室外側の見付面７１に、自由に回転する状態で取付けてある。調整具１２は、中心部に調整ねじ１１と螺合する雌ねじ孔７２が設けてあり、下面に内ハウジング１０の傾斜面１３ａと当接する傾斜面１３ｂが設けてある。調整具１２の上面は、外ハウジング８の上部に設けた見込片７３の下面に当接している。外れ止め６９は、調整ねじ１１と同じ外ハウジング８の室外側の見付面７１に室外側から螺入するねじ７４で取付けてあり、ねじ７４の挿通孔が上下方向の長孔７５となっており、長孔７５の範囲で上下に移動可能となっている。
【００２３】
本吊り戸車７は、見込方向から（本実施例では室外側から）ドライバー等の工具で調整ねじ１１を回すと、調整ねじ１１と螺合する調整具１２が見込方向に移動し、それに伴って調整具１２と傾斜面１３ａ，１３ｂで当接した内ハウジング１０が上下動し、車輪９の高さ調整が行える。外れ止め６９の高さ調整も、車輪９の高さ調整と同じく見込方向から行える。
【００２４】
次に、機能枠３の取付手順を説明する。まず、図７−１（ａ）に示すように、戸本体２１に引戸１４を組み込み、吊り戸車７の車輪９の高さ調整、外れ止め６９の高さ調整を行った後、戸本体２１の上框３０と下框３１の室外側に上框補助材３３と下框補助材３６をねじ７６で取付ける。このとき、戸本体２１の吊元框１６の室外側に設けたタイト材６１ａの上端が上框補助材３３に設けたタイト材６１ｃに、下端が下框補助材３６に設けたタイト材６１ｄに当接するようにする。
次に、図７−２（ｃ）と図８（ａ）に示すように、機能枠３の被係合部５を戸本体２１の係合部４に吊元側から係合させる。このとき、機能枠３の戸先側の被係合部５に設けた切欠き５１が戸本体２１の係合部４内に設けた落ち止め部材５２が係合することで、機能枠３が上下方向に位置決めされる。また、機能枠３の戸先側の縦枠４４の室内側に設けたタイト材６１ｂの上端が上框補助材３３に設けたタイト材６１ｃに、下端が下框補助材３６に設けたタイト材６１ｄにそれぞれ当接する。
その後、図８（ｂ）と図９に示すように、戸２を開けた状態で機能枠３の吊元側の縦枠４８に設けた孔５７に固定具６の見付片５５を挿入し、固定具６の見込片５６を戸１の吊元側の見込面５８にねじ５９で固定する。
【００２５】
以上に述べたように本建具は、機能枠３の一方側（戸先側）に長手方向に設けた被係合部５が、戸２の一方側に長手方向に設けた溝状の係合部４と係合して見込方向に位置決めされるとともに、被係合部５が係合部４内で長手方向に位置決めしてあることで、機能枠３の一方側をバール等で戸２から外すことが困難であり、機能枠３の他方側（吊元側）の端部には固定具６を有し、固定具６は、戸枠１と戸２の見込面間の隙間に挿入し、戸２の見込面５８にねじ止めしてあるため、戸２を閉めた状態では固定具６のねじ５９を外すことができないため、機能枠３が不正に取り外されるのを確実に防止できる。
本建具は、戸２を開いた状態で固定具６を機能枠３に係脱自在であり、戸２を閉めると固定具６の戸２へのねじ止め部が戸枠１と戸２の間に隠れるので、戸２を開けた状態にすれば機能枠３の着脱が容易に行え、戸２を閉めた状態では機能枠３が不正に取り外されるのを確実に防止できる。
固定具６は、機能枠３に設けた孔５７に他方側から差し込んであるので、機能枠３の他方側の縁の位置が誤差等で多少異なっても、孔５７への固定具６の差し込み長さが変わるだけで、問題なく固定できる。また、固定具６が機能枠３と別体であることで、運搬がしやすい。
機能枠３は、一方側と他方側が上枠７７と下枠７８よりも長辺の縦枠４４，４８になっており、撓みが生じやすい長辺側（縦枠４４，４８）のみで戸２に取付いており、短辺側（上枠７７及び下枠７８）を戸２に固定する必要がないので、機能枠３を取付けるための部品を削減でき、機能枠３の取付けが簡単に、しかも強固に行える。
特に本建具は、機能枠３を戸２の吊元側から戸２と係合し、戸２の吊元側の見込面５８に固定具６をねじ止めしており、戸２の吊元側は蝶番２４で縦枠２８ｂに固定されているので変形しづらいため、固定具６のねじ５９を外すことが一層困難であるから、防犯性が向上する。
【００２６】
本建具の引戸１４の吊り戸車７は、調整ねじ１１が軸方向を見込方向と平行な向きで外ハウジング８の見付面７１に設けてあり、調整具１２と内ハウジング１０とが傾斜面１３ａ，１３ｂで当接しており、調整ねじ１１を操作することで内ハウジング１０が上下動するため、戸車の車輪９の高さ調整が室外側から行えるので、引戸１４の設置状況如何にかかわらず車輪９の高さ調整が容易に行える。
傾斜面１３ａ，１３ｂは、内ハウジング１０と調整具１２の何れか一方にだけ設けてもよいが、内ハウジング１０と調整具１２の両方に傾斜面１３ａ，１３ｂを設け、傾斜面１３ａ，１３ｂ同士が当接するようにしたことで、より確実に調整力を面で伝達することができ、安定した調整を行うことができる。
外ハウジング８に見込片７３を有し、調整具１２の内ハウジング１０と反対側の面（上面）が外ハウジング８の見込片７３に当接していることで、調整具１２に加わる引戸１４の荷重を調整ねじ１１に負担させることを回避でき、見込片７３で引戸１４の荷重を負担できるので、安定して引戸１４を支持できると共に、調整ねじ１１の破損や変形を防止できる。
さらに本吊り戸車７は、車輪９がレール３２から外れるのを防ぐ外れ止め６９を備え、外れ止め６９を固定するねじ７４が調整ねじ１１と同じ外ハウジング８の室外側の見付面７１に設けてあるので、外れ止め６９の調整も室外側から行うことができ、都合がよい。
内ハウジング１０には、車輪９の左右両側に調整具１２と当接する傾斜面１３ａが設けてあることで、内ハウジング１０が両側から安定して支持されるため、調整状態を安定して維持できると共に、引戸１４の円滑な開閉を実現できる。
本建具は、引戸１４が戸本体２１内に組み込まれており、引戸１４の全スライド量も１００ｍｍ程度と小さいため、引戸１４の側方から戸車７の車輪９の高さ調整を行うことが困難であるが、この吊り戸車７を採用したことで、戸車７の車輪９の高さ調整が室外側から行えるので、引戸１４の設置状況如何にかかわらず車輪９の高さ調整が容易に行える。
【００２７】
本建具は、引戸１４を開けたときに戸２の縦框（吊元框１６）と引戸１４の戸先框１８との間に換気用開口部２５が形成されるものであり、錠１５がその換気用開口部２５から離れた引戸戸尻側の戸の縦框（戸先框１７）と戸枠１の縦枠２８ａとの間に設けてあり、尚且つ引戸１４の戸尻框１９と機能枠３との間に引戸１４閉鎖時に係合する係合部２０を有することで、室外側から針金等を差し込まれて錠１５が不正に解錠されるのを防止できる。係合部２０を、引戸１４と機能枠３との間に設けたことで、引戸１４を戸本体２１に組み込む時点では機能枠３が無いため、引戸１４を戸本体２１に組み込むのが容易である。
本建具は、引戸１４の室内側と戸本体２１の間にも引戸１４閉鎖時に係合する係合部６５を有するので、防犯性がさらに向上する。また、このように係合部２０，６５を設けることで、引戸１４のがたつきを抑える効果や、雨水の浸入を防ぐ効果もある。
さらに本建具は、戸２の戸先框１７と縦枠２８ａとの間に、戸２閉鎖時に係合する係合部６７が設けてあるので、室外側から戸先框１７と縦枠２８ａの間に針金等を差し込まれて錠１５が不正に解錠されることも防止できる。
【００２８】
本建具は、機能枠３及び戸本体（引戸枠）２１と引戸１４との間に室外タイトライン２３ａ，２３ｂ，２３ｃ，２３ｄが設けてあることで、建具内への雨水の浸入を防ぎ、仮に室外タイトライン２３ａ，２３ｂ，２３ｃ，２３ｄを超えて雨水が浸入したとしても、戸本体２１と引戸１４との間に室内タイトライン２２ａ，２２ｂ，２２ｃ，２２ｄが設けてあるので、室内まで雨水が浸入することがない。戸本体２１と引戸１４との間に一の室外タイトライン２３ａ（タイト材６１ａ）を設け、一の室外タイトライン２３ａを基準にして機能枠３と引戸１４との間に他の室外タイトライン２３ｂ，２３ｃ，２３ｄ（タイト材６１ｂ，６１ｃ，６１ｄ）を設けることで、四辺の室外タイトライン２３ａ，２３ｂ，２３ｃ，２３ｄを容易に且つ確実に連続させることができる。
本建具は、引戸１４を室外タイトライン２３ａ，２３ｂ，２３ｃ，２３ｄと室内タイトライン２２ａ，２２ｂ，２２ｃ，２２ｄとで室内外から挟み込むことにより、水密性を向上できると共に、引戸１４のがたつきを防止する効果がある。
本建具は、機能枠３及び戸本体２１と引戸１４との間に引き寄せ部材６２ａ，６２ｂを有し、引戸１４を閉鎖したときに、室内タイトラン２２ａ，２２ｂ，２２ｃ，２２ｄを維持したまま、引戸１４を室外側に引き寄せて室外タイトライン２３ａ，２３ｂ，２３ｃ，２３ｄに圧着させるので、水密性がさらに向上している。
【００２９】
図１２，１３は、本発明の建具の第２実施形態を示している。本実施形態は、引戸１４の戸先框１８の室外側面に当接するタイト材６１ａが、戸本体２１の吊元框１６ではなく、機能枠３の吊元側の縦枠４８に設けてある。引戸１４の戸尻框１９の室外側面に当接するタイト材６１ｂが機能枠３の戸先側の縦枠４４に設けてあり、引戸１４の上框３９の室外側面に当接するタイト材６１ｃが上框補助材３３に設けてあり、引戸１４の下框４０の室外側面に当接するタイト材６１ｄが下框補助材３６に設けてある点は、第１実施形態と同様である。すなわち本実施形態は、室外タイトライン２３ａ，２３ｂ，２３ｃ，２３ｄを構成するタイト材６１ａ，６１ｂ，６１ｃ，６１ｄを、全て機能枠３側に設けたものである。この場合でも、第１実施形態と同様に、高い水密性を確保できる。
【００３０】
図１４は、本発明の建具の第３実施形態を示している。本実施形態は、機能枠３の戸先側の端部に溝状の係合部４が長手方向に沿って設けてあり、戸本体２１に被係合部５が長手方向に沿って設けてあり、被係合部５が係合部４と係合して見込方向に位置決めされるとともに、被係合部５が係合部４内で上下方向に位置決めしてある。機能枠３の吊元側には、第１実施形態と同様に固定具６が設けてあり、固定具６は戸枠１と戸２の見込面間の隙間に挿入し、戸２の見込面５８にねじ止めしてある。
本実施形態の建具も、第１実施形態と同様に、機能枠３の一方側（戸先側）をバール等で戸２から外すことが困難であり、機能枠３の他方側（吊元側）の端部には固定具６を有し、固定具６は、戸枠１と戸２の見込面間の隙間に挿入し、戸２の見込面５８にねじ止めしてあるため、戸２を閉めた状態では固定具６のねじ５９を外すことができないため、機能枠３が不正に取り外されるのを確実に防止できる。
【００３１】
本発明は以上に述べた実施形態に限定されない。機能枠は、網戸付格子に限らず、日よけ、ルーバー、面格子、網戸、広告媒体等であってもよい。機能枠は、戸に対して戸先側から係合するもの、上下方向から係合するものであってもよい。固定具は、機能枠と一体に設けることもできる。戸は開き戸に限らず、引戸であってもよい。また戸は、上げ下げ障子を備えたものであってもよい。戸車は、吊り戸車に限らず、引戸の下部に取付けられる通常の戸車であってもよい。戸車の調整ねじは、頭を室内側に向けて配置し、室内側から操作できるようにすることもできる。本発明に係る戸車は、あらゆる建具に用いることができる。戸を施錠するための錠は、戸枠（縦枠）に設けることもできる。本発明の建具は、戸に引戸を組み込んだものに限らず、開口部に取付けられる枠（引戸枠）内に引戸を設けた片引き窓や引違い窓等に適用することもできる。
【符号の説明】
【００３２】
１  戸枠
２  戸
３  機能枠
４  係合部
５  被係合部
６  固定具
７  吊り戸車（戸車）
８  外ハウジング
９  車輪
１０  内ハウジング
１１  調整ねじ
１２  調整具
１３ａ，１３ｂ  傾斜面
１４  引戸
１５  錠
１６  吊元框（戸の縦框）
１７  戸先框（戸の縦框）
１８  引戸の戸先框
１９  引戸の戸尻框
２０  係合部
２１  戸本体（引戸枠）
２２ａ，２２ｂ，２２ｃ，２２ｄ  室内タイトライン
２３ａ，２３ｂ，２３ｃ，２３ｄ  室外タイトライン
【図１】
2018105104.tif 000003
【図２】
2018105104.tif 000004
【図３】
2018105104.tif 000005
【図４】
2018105104.tif 000006
【図５】
2018105104.tif 000007
【図６】
2018105104.tif 000008
【図７−１】
2018105104.tif 000009
【図７−２】
2018105104.tif 000010
【図８】
2018105104.tif 000011
【図９】
2018105104.tif 000012
【図１０】
2018105104.tif 000013
【図１１】
2018105104.tif 000014
【図１２】
2018105104.tif 000015
【図１３】
2018105104.tif 000016
【図１４】
2018105104.tif 000017